(57)【要約】【課題】効率よくかつ適切にトレーニングを行うことができる情報処理装置、情報処理システム及びプログラムを提供する。【解決手段】情報処理装置は、所定の業務に係る業務処理を、実際に業務を遂行するための通常モード、及びユーザによる業務処理に係る入力操作の習得のためのトレーニングモードのうち、ユーザにより指定された一方で実行する処理手段と、処理手段によりトレーニングモードで業務処理が実行される場合に、通常モードの業務処理における処理対象のデータを複製して複製データを生成する複製手段と、を備え、処理手段は、トレーニングモードでは、複製データを処理対象のデータとして用いて前記業務処理を実行する。【選択図】図１２
2020201858.tif 000002
【特許請求の範囲】
【請求項１】
所定の業務に係る業務処理を、実際に前記業務を遂行するための通常モード、及びユーザによる前記業務処理に係る入力操作の習得のためのトレーニングモードのうち、ユーザにより指定された一方で実行する処理手段と、
前記処理手段により前記トレーニングモードで前記業務処理が実行される場合に、前記通常モードの前記業務処理における処理対象のデータを複製して複製データを生成する複製手段と、
を備え、
前記処理手段は、前記トレーニングモードでは、前記複製データを処理対象のデータとして用いて前記業務処理を実行することを特徴とする情報処理装置。
【請求項２】
前記複製手段は、前記トレーニングモードで前記業務処理が実行される場合に、前記通常モードの前記業務処理を実行するためのプログラムを複製して複製プログラムを生成し、
前記処理手段は、前記トレーニングモードでは、前記複製プログラムに基づいて前記業務処理を実行することを特徴とする請求項１に記載の情報処理装置。
【請求項３】
異なる複数の前記業務処理が特定された業務メニューデータに基づいて、前記複数の業務処理の中から実行する前記業務処理をユーザに選択させるための業務メニュー画面を表示させる表示制御手段を備え、
前記複製手段は、前記処理手段により前記トレーニングモードで前記業務処理が実行される場合に、前記通常モードで用いられる前記業務メニューデータを複製して複製業務メニューデータを生成し、
前記表示制御手段は、前記処理手段により前記トレーニングモードで前記業務処理が実行される場合には、前記複製業務メニューデータに基づいて前記業務メニュー画面を表示させることを特徴とする請求項１又は２に記載の情報処理装置。
【請求項４】
前記通常モードの前記業務処理における前記処理対象のデータには、実際の前記業務の遂行のために前記業務処理において参照される情報を含むデータ、及び実際の前記業務の遂行結果に係る情報を含むデータ、の少なくとも一方が含まれることを特徴とする請求項１〜３のいずれか一項に記載の情報処理装置。
【請求項５】
前記業務は、所定の取引先との取引のための作業を含み、
前記通常モードの前記業務処理における前記処理対象のデータには、実際の前記業務における前記取引先に係る情報を含むデータ、実際の前記業務における前記取引の対象に係る情報を含むデータ、及び実際の前記業務における前記取引の結果に係る情報を含むデータ、の少なくとも一部が含まれることを特徴とする請求項１〜４のいずれか一項に記載の情報処理装置。
【請求項６】
前記複製手段は、前記トレーニングモードで前記業務処理が実行されるごとに、新たに前記複製データを生成し、
前記処理手段は、前記トレーニングモードでは、最新の前記複製データを処理対象のデータとして用いて前記業務処理を実行することを特徴とする請求項１〜５のいずれか一項に記載の情報処理装置。
【請求項７】
前記処理手段により前記トレーニングモードで前記業務処理が実行される場合に、前記通常モードの前記業務処理の履歴に係る履歴データに基づいて、複数のトレーニング項目の実行手順を示すトレーニングメニューを生成して出力するトレーニングメニュー出力手段を備えることを特徴とする請求項１〜６のいずれか一項に記載の情報処理装置。
【請求項８】
前記トレーニングメニュー出力手段は、前記複製データに含まれる前記履歴データに基づいて前記トレーニングメニューを生成して出力することを特徴とする請求項７に記載の情報処理装置。
【請求項９】
前記複数のトレーニング項目の各々は、異なる複数の前記業務処理のいずれかに対応し、
前記トレーニングメニュー出力手段は、前記履歴データにより示される、前記複数の業務処理の各々の実行回数に基づいて前記複数のトレーニング項目を配列することを特徴とする請求項７又は８に記載の情報処理装置。
【請求項１０】
前記トレーニングメニュー出力手段は、前記複数の業務処理のうち前記実行回数の多い業務処理に対応する前記トレーニング項目ほど早期に実行されるように前記実行手順を定めることを特徴とする請求項９に記載の情報処理装置。
【請求項１１】
前記トレーニングメニュー出力手段は、前記履歴データのうち直近の所定期間の前記履歴に係る部分に基づいて前記トレーニングメニューを生成することを特徴とする請求項７〜１０のいずれか一項に記載の情報処理装置。
【請求項１２】
前記処理手段は、前記トレーニングモードで前記業務処理を実行しているときに、前記業務処理が前記トレーニングモードで実行されていることを示す標識を、前記業務処理の処理内容とともに表示部に表示させることを特徴とする請求項１〜１１のいずれか一項に記載の情報処理装置。
【請求項１３】
所定の業務に係る業務処理を、実際に前記業務を遂行するための通常モード、及びユーザによる前記業務処理に係る入力操作の習得のためのトレーニングモードのうち、ユーザにより指定された一方で実行する処理手段と、
前記処理手段により前記トレーニングモードで前記業務処理が実行される場合に、前記通常モードの前記業務処理における処理対象のデータを複製して複製データを生成する複製手段と、
を備え、
前記処理手段は、前記トレーニングモードでは、前記複製データを処理対象のデータとして用いて前記業務処理を実行することを特徴とする情報処理システム。
【請求項１４】
情報処理装置に設けられたコンピュータを、
所定の業務に係る業務処理を、実際に前記業務を遂行するための通常モード、及びユーザによる前記業務処理に係る入力操作の習得のためのトレーニングモードのうち、ユーザにより指定された一方で実行する処理手段、
前記処理手段により前記トレーニングモードで前記業務処理が実行される場合に、前記通常モードの前記業務処理における処理対象のデータを複製して複製データを生成する複製手段、
として機能させ、
前記処理手段は、前記トレーニングモードでは、前記複製データを処理対象のデータとして用いて前記業務処理を実行することを特徴とするプログラム。
【発明の詳細な説明】
【技術分野】
【０００１】
本発明は、情報処理装置、情報処理システム及びプログラムに関する。
【背景技術】
【０００２】
従来、ユーザからの入力操作に応じて、見積書及び納品書といった帳票の作成や商品の在庫管理などの、各種の業務に係る業務処理を行う情報処理装置がある（例えば、特許文献１）。ユーザは、業務処理において、例えば所定の入力項目に取引データを入力して帳票を作成したり、在庫状況などに応じてデータの更新のためのデータ入力を行ったりすることで、情報処理装置上で商品の販売管理を行うことができる。
【０００３】
このような情報処理装置には、ユーザに入力操作を習得させるために、代表的な業務処理に係る入力操作をユーザに体験させるチュートリアルモードが用意されたものがある。
【先行技術文献】
【特許文献】
【０００４】
【特許文献１】特開２０１９−２８６４８号公報
【発明の概要】
【発明が解決しようとする課題】
【０００５】
しかしながら、通常、業務処理の種別は多岐に亘り、また、このうちユーザが実際に頻繁に実行する業務処理は、ユーザごとに異なることが多い。このため、上記のようなチュートリアルモードによる画一的なトレーニングでは、入力操作の習得が非効率かつ不十分となってしまう。
一方で、実際に業務を遂行するための業務処理を通してトレーニングを行うと、入力操作の誤りに起因して業務上のデータに不備が生じたり、データが意図せずに削除されたりする問題が生じる場合がある。
このように、上記従来の技術では、入力操作の習得のためのトレーニングを効率よくかつ適切に行うことが容易でないという課題がある。
【０００６】
この発明の目的は、効率よくかつ適切にトレーニングを行うことができる情報処理装置、情報処理システム及びプログラムを提供することにある。
【課題を解決するための手段】
【０００７】
上記課題を解決するため、本発明の情報処理装置は、
所定の業務に係る業務処理を、実際に前記業務を遂行するための通常モード、及びユーザによる前記業務処理に係る入力操作の習得のためのトレーニングモードのうち、ユーザにより指定された一方で実行する処理手段と、
前記処理手段により前記トレーニングモードで前記業務処理が実行される場合に、前記通常モードの前記業務処理における処理対象のデータを複製して複製データを生成する複製手段と、
を備え、
前記処理手段は、前記トレーニングモードでは、前記複製データを処理対象のデータとして用いて前記業務処理を実行する。
【発明の効果】
【０００８】
本発明によれば、効果よくかつ適切にトレーニングを行うことができる。
【図面の簡単な説明】
【０００９】
【図１】販売管理装置の機能的構成を示すブロック図である。
【図２】業務データの内容例を示す図である。
【図３】得意先データの内容例を示す図である。
【図４】商品データの内容例を示す図である。
【図５】仕入先データの内容例を示す図である。
【図６】取引データの内容例を示す図である。
【図７】業務メニューデータの内容例を示す図である。
【図８】業務ログデータの内容例を示す図である。
【図９】ショートカットが表示された表示画面の一部を示す図である。
【図１０】通常モード用の業務メニュー画面を示す図である。
【図１１】売上管理業務のうち売上伝票入力の処理を行っているときの売上伝票入力画面を示す図である。
【図１２】トレーニングモードでの販売管理処理の制御手順を示すフローチャートである。
【図１３】トレーニングメニュー生成処理の制御手順を示すフローチャートである。
【図１４】業務ログの抽出結果を実行回数順でソートした結果の例を示す図である。
【図１５】生成されたトレーニングメニューデータの例を示す図である。
【図１６】トレーニング用チェックシートの印刷開始ダイアログを示す図である。
【図１７】トレーニング用チェックシートの内容例を示す図である。
【図１８】トレーニングモード用の業務メニュー画面を示す図である。
【図１９】売上管理業務のうち売上伝票入力の処理をトレーニングモードで行っているときの売上伝票入力画面を示す図である。
【図２０】変形例１に係る販売管理装置の機能的構成を示すブロック図である。
【図２１】販売管理システムの概略構成図である。
【発明を実施するための形態】
【００１０】
以下、本発明の情報処理装置、情報処理システム及びプログラムに係る実施の形態を図面に基づいて説明する。
【００１１】
＜販売管理装置の構成＞
図１は、本実施形態の販売管理装置１の機能的構成を示すブロック図である。
販売管理装置１（情報処理装置）は、商品に関する各種データを記憶し、所定の取引先との取引のための作業を含む複数の業務（例えば、商品の売上、仕入及び在庫などに関する業務）について、ユーザからの入力操作に応じてデータの集計や帳票の印刷といった所定の処理を実行することで、商品の販売管理業務を支援する。販売管理装置１は、例えば、ノートＰＣ（Personal Computer）、デスクトップＰＣ、スマートフォン、タブレット型端末などであり、商品の販売管理業務を行う者が使用する。
【００１２】
販売管理装置１は、ＣＰＵ１０（Central Processing Unit）と、ＲＡＭ２０（Random Access Memory）と、記憶部３０と、操作部４０と、表示部５０と、通信部６０と、バス７０などを備えている。販売管理装置１の各部は、バス７０を介して接続されている。
【００１３】
ＣＰＵ１０は、販売管理装置１の各部を制御する。ＣＰＵ１０は、記憶部３０に記憶されている各種プログラムを読み出してＲＡＭ２０に展開し、当該プログラムに従って各種処理を実行する。当該処理を実行することで、ＣＰＵ１０は、表示制御部１１（表示制御手段）、処理部１２（処理手段）、複製部１３（複製手段）、トレーニングメニュー出力部１４（トレーニングメニュー出力手段）などとして機能する。
【００１４】
このうち表示制御部１１は、記憶部３０に記憶されたメニュープログラム３１を実行することで、複数の種別の業務処理の中から実行する業務処理をユーザに選択させるための業務メニュー画面５２ａ（図１０参照）、５２ｂ（図１８参照）を表示部５０に表示させる処理を行う。このうち業務メニュー画面５２ａは、通常モード用のメニュー画面であり、業務メニュー画面５２ｂは、トレーニングモード用のメニュー画面である。ここで、通常モードは、実際に業務を遂行するために業務処理を実行するモードであり、トレーニングモードは、ユーザによる業務処理に係る入力操作の習得のために業務処理を実行するモードである。以下では、業務メニュー画面５２ａ、５２ｂの任意の一方を指す場合には「業務メニュー画面５２」と記す。
また、表示制御部１１は、処理部１２による処理結果を逐次表示部５０に表示させる処理なども行う。
【００１５】
処理部１２は、ユーザからの指示に応じて業務プログラム３２４又は３３４を実行することで、所定の業務に係る業務処理を実行する。この業務処理には、例えば納品書や請求書などの帳票を作成して出力する処理などがある。また、処理部１２は、ユーザからの指示に応じて、通常モード及びトレーニングモードのうち、指定された一方のモードで業務処理を実行する。
【００１６】
通常モードでは、記憶部３０に記憶されている通常モード用実行環境データ３２が、表示制御部１１及び処理部１２の処理対象のデータとして用いられる。ここで、処理対象のデータとは、処理の実行のために参照されるデータ、及び処理によって生成又は書き換えられるデータである。よって、処理部１２による処理結果は、通常モード用実行環境データ３２内のデータに記憶される。したがって、通常モード用実行環境データ３２には、実際の業務の内容が反映されることとなる。具体的には、処理対象のデータとして用いられる通常モード用実行環境データ３２には、実際の業務の遂行のために業務処理において参照される情報を含むデータ、及び実際の業務の遂行結果に係る情報を含むデータ、の少なくとも一方が含まれ得る。より詳しくは、通常モード用実行環境データ３２には、実際の業務における取引先に係る情報を含むデータ、実際の業務における取引の対象に係る情報を含むデータ、及び実際の業務における取引の結果に係る情報を含むデータ、の少なくとも一部が含まれ得る。
一方、トレーニングモードでは、トレーニングモード用実行環境データ３３が、表示制御部１１及び処理部１２の処理対象のデータとして用いられる。
通常モード及びトレーニングモードにおける処理及び動作の詳細については後述する。
【００１７】
複製部１３は、トレーニングモードで業務処理が開始される場合（より詳しくは、業務処理の開始のために業務メニュー画面５２が表示される場合。以下同じ。）に、記憶部３０に記憶されている通常モード用実行環境データ３２をコピー（複製）して、トレーニングモード用実行環境データ３３を生成し、記憶部３０に記憶させる。複製部１３は、トレーニングモードで業務処理が実行されるごとに、新たにトレーニングモード用実行環境データ３３を生成する。既にトレーニングモード用実行環境データ３３が存在している場合には、当該トレーニングモード用実行環境データ３３の内容が、最新の通常モード用実行環境データ３２の内容に書き換えられる。トレーニングモードでは、最新のトレーニングモード用実行環境データ３３が、表示制御部１１及び処理部１２の処理対象のデータとして用いられる。
【００１８】
トレーニングメニュー出力部１４は、トレーニングモードで業務処理が開始される場合に、複数のトレーニング項目の実行手順を示すトレーニングメニューの情報を含むトレーニングメニューデータ３４を生成し、当該トレーニングメニューを含むトレーニング用チェックシートＳ（図１７参照）を所定の印刷装置により印刷させる。
【００１９】
ＲＡＭ２０は、例えば、揮発性のメモリであり、ＣＰＵ１０により読み出された各種のプログラムやデータを一時的に格納するワークエリアを有する。ＲＡＭ２０には、販売管理処理及び業務処理が通常モード及びトレーニングモードのいずれで動作しているかを示すモードフラグ２１が記憶される。なお、モードフラグ２１は、記憶部３０に記憶されて保持されても良い。
【００２０】
記憶部３０は、ＨＤＤ（Hard Disk Drive）、ＳＳＤ（Solid State Drive）といった、データの書き込み及び読み出しが可能な記憶装置を備え、各種のプログラムやデータを含むファイル等を記憶する。具体的には、記憶部３０には、上述したメニュープログラム３１、通常モード用実行環境データ３２、トレーニングモード用実行環境データ３３、及びトレーニングメニューデータ３４などが記憶されている。
通常モード用実行環境データ３２には、業務データ３２１、業務メニューデータ３２２、業務ログデータ３２３、及び業務プログラム３２４が含まれる。このうち業務データ３２１、業務メニューデータ３２２、及び業務ログデータ３２３が、通常モードの業務処理における処理対象のデータに相当する。
また、トレーニングモード用実行環境データ３３には、業務データ３３１、業務メニューデータ３３２（複製業務メニューデータ）、業務ログデータ３３３（履歴データ）、及び業務プログラム３３４（複製プログラム）が含まれる。このうち業務データ３３１、業務メニューデータ３３２、及び業務ログデータ３３３が、トレーニングモードの業務処理における処理対象のデータ、及び複製データに相当する。
【００２１】
図２は、業務データ３２１、３３１の内容例を示す図である。
業務データ３２１には、得意先データ３２１ａ、商品データ３２１ｂ、仕入先データ３２１ｃ、及び取引データ３２１ｄが含まれる。このうち、得意先データ３２１ａ、商品データ３２１ｂ、及び仕入先データ３２１ｃは、「実際の業務の遂行のために業務処理において参照される情報を含むデータ」に相当する。また、得意先データ３２１ａ、及び仕入先データ３２１ｃは、「実際の業務における取引先に係る情報を含むデータ」に相当し、商品データ３２１ｂは、「実際の業務における取引の対象に係る情報を含むデータ」に相当する。また、取引データ３２１ｄは、「実際の業務の遂行結果に係る情報を含むデータ」、及び「実際の業務における取引の結果に係る情報を含むデータ」に相当する。
同様に、図２（ｂ）に示されるように、業務データ３３１には、得意先データ３３１ａ、商品データ３３１ｂ、仕入先データ３３１ｃ、及び取引データ３３１ｄが含まれる。
【００２２】
上述したように、トレーニングモード用実行環境データ３３は、通常モード用実行環境データ３２をコピーして生成されたものであるため、その生成時の内容は、通常モード用実行環境データ３２と同一である。したがって、生成時における業務データ３３１の内容は、業務データ３２１の内容と同一である。
【００２３】
図３は、得意先データ３２１ａ、３３１ａの内容例を示す図である。
得意先データ３２１ａ、３３１ａは、「キーコード」及び「得意先名」の項目の情報が得意先ごとに記憶されたテーブルデータである。
「キーコード」は、得意先を特定するために得意先ごとに定められている符号である。
「得意先名」は、得意先の名称である。
【００２４】
図４は、商品データ３２１ｂ、３３１ｂの内容例を示す図である。
商品データ３２１ｂ、３３１ｂは、「キーコード」、「商品名」及び「単価」の項目の情報が商品の種別ごとに記憶されたテーブルデータである。
「キーコード」は、商品を特定するために商品ごとに定められている符号である。
「商品名」は、商品の名称である。
「単価」は、商品に対応付けられて定められている商品の単価である。
【００２５】
図５は、仕入先データ３２１ｃ、３３１ｃの内容例を示す図である。
仕入先データ３２１ｃ、３３１ｃは、「キーコード」及び「仕入先名」の項目の情報が仕入先ごとに記憶されたテーブルデータである。
「キーコード」は、仕入先を特定するために仕入先ごとに定められている符号である。
「仕入先名」は、仕入先の名称である。
【００２６】
図６は、取引データ３２１ｄ、３３１ｄの内容例を示す図である。
取引データ３２１ｄ、３３１ｄは、「伝票日付」、「伝票番号」、「取引区分」、「取引先キーコード」、「行番号」、「商品キーコード」、「数量」、「単価」及び「金額」の項目の情報が商品の取引ごとに記憶されたテーブルデータである。
「伝票日付」は、取引に係る伝票の発行日である。
「伝票番号」は、伝票を特定するために伝票ごとに振られた数字である。
「取引区分」は、取引の種別に応じた区分を表す数字である。
「取引先キーコード」は、その取引の取引先（得意先又は仕入先）を示す符号である。この「取引先キーコード」は、得意先データ３２１ａ、３３１ａにおける「キーコード」、及び仕入先データ３２１ｃ、３３１ｃにおける「キーコード」のいずれかに対応する。したがって、得意先データ３２１ａ、３３１ａ又は仕入先データ３２１ｃ、３３１ｃを参照することで、「取引先キーコード」に対応する取引先を特定することができる。
「行番号」は、伝票における商品等の記載欄の行の番号を示す。すなわち、伝票に２行以上の記載欄に亘って商品等の取引内容が記載されている場合には、取引データ３２１ｄ、３３１ｄには、「伝票番号」が同一であり「行番号」が異なる２以上のデータが記憶される。
「商品キーコード」は、その取引の対象の商品を示す符号である。「商品キーコード」は、商品データ３２１ｂ、３３１ｂにおける「キーコード」に対応する。したがって、商品データ３２１ｂ、３３１ｂを参照することで、「商品キーコード」に対応する商品を特定することができる。
「数量」、「単価」は、それぞれその取引における商品の数量、単価であり、「金額」は、単価に数量を乗じて得られる取引金額である。
【００２７】
図７は、業務メニューデータ３２２、３３２の内容例を示す図である。
業務メニューデータ３２２、３３２は、「階層１」、「階層２」及び「業務名」の項目が業務名ごとに記憶されたテーブルデータである。この業務メニューデータ３２２、３３２の各行のデータは、「業務名」に記載された業務に係る業務処理を開始させるために選択されるべき「階層１」の業務メニュー、及び「階層２」の業務メニューの組み合わせを示したものである。よって、業務メニューデータ３２２、３３２は、「階層１」の業務メニュー、及び「階層２」の業務メニューを選択した場合に実行可能な業務処理を示したものであるということもできる。
「階層１」は、販売管理処理が開始された場合に最初に選択対象となる第１階層の業務メニュー群のいずれかである。第１階層の業務メニュー群は、業務メニュー画面５２ａ、５２ｂにメニューボタン５２１として表示される。
「階層２」は、第１階層のいずれかの業務メニューが選択された場合に選択可能となる、第２階層のメニュー群（不図示）のいずれかである。
「業務名」は、実行対象の業務処理に係る業務の名称である。
【００２８】
図８は、業務ログデータ３２３、３３３の内容例を示す図である。
業務ログデータ３２３、３３３は、「番号」、「業務名」、「開始日時」、「終了日時」、「得意先キーコード」、「仕入先キーコード」及び「伝票番号」の項目が、実行された業務の業務名ごとに記憶されたテーブルデータである。業務ログデータ３２３、３３３は、処理部１２により実行された業務処理の内容が時系列順に記録されたものであり、業務処理の履歴に係る履歴データに相当する。また、業務ログデータ３２３は、「実際の業務の遂行結果に係る情報を含むデータ」、及び「実際の業務における取引の結果に係る情報を含むデータ」に相当する。
「番号」は、実行された業務処理ごとに振られた番号である。
「業務名」は、実行された業務処理に係る業務の名称である。
「開始日時」は、業務処理が開始された日時である。
「終了日時」は、業務処理が終了した日時である。
「得意先キーコード」は、その業務処理における得意先を示すキーコードである。この「得意先キーコード」は、得意先データ３２１ａ、３３１ａにおける「キーコード」に対応する。したがって、得意先データ３２１ａ、３３１ａを参照することで、「得意先キーコード」に対応する得意先を特定することができる。
「仕入先キーコード」は、その業務処理における仕入先を示すキーコードである。この「仕入先キーコード」は、仕入先データ３２１ｃ、３３１ｃにおける「キーコード」に対応する。したがって、仕入先データ３２１ｃ、３３１ｃを参照することで、「仕入先キーコード」に対応する仕入先を特定することができる。
「伝票番号」は、その業務処理において作成された伝票を示す番号である。この「伝票番号」は、取引データ３２１ｄ、３３１ｄにおける「伝票番号」に対応する。したがって、取引データ３２１ｄ、３３１ｄを参照することで、「伝票番号」に対応する伝票を特定することができる。
【００２９】
図１の通常モード用実行環境データ３２に含まれる業務プログラム３２４は、業務メニューデータ３２２の「階層１」の業務メニューごとに用意されている。ＣＰＵ１０（処理部１２）は、これらの業務プログラム３２４に基づいて、対応する業務メニューに係る業務処理を実行する。
同様に、トレーニングモード用実行環境データ３３に含まれる業務プログラム３３４は、業務メニューデータ３３２の「階層１」の業務メニューごとに用意されている。ＣＰＵ１０（処理部１２）は、これらの業務プログラム３３４に基づいて、対応する業務メニューに係る業務処理を実行する。
【００３０】
操作部４０は、キーボード等のキー入力部と、マウス等のポインティングデバイスとを有し、ユーザ（オペレータ）からのキー操作入力及び位置操作入力を受け付け、その操作情報をＣＰＵ１０に出力する。
【００３１】
表示部５０は、ＬＣＤ（Liquid Crystal Display）、ＥＬ（Electro Luminescence）ディスプレイ等で構成され、ＣＰＵ１０から入力された制御信号に従って各種表示を行う。
【００３２】
通信部６０は、ネットワークカード等により構成され、通信ネットワーク（図示略）を介してサーバ等の各種機器に接続される。通信ネットワークは、ＬＡＮ（Local Area Network）、ＷＡＮ（Wide Area Network）等とすることができる。ＣＰＵ１０は、通信部６０を介して、通信ネットワーク上の機器と通信が可能である。
また、本実施形態の販売管理装置１は、通信部６０を介して外部の印刷装置（不図示）に接続されており、販売管理装置１で作成された各種の伝票やトレーニング用チェックシートＳなどを当該印刷装置で印刷できるようになっている。
【００３３】
なお、本実施形態では、販売管理装置１の記憶部３０に、メニュープログラム３１、通常モード用実行環境データ３２、トレーニングモード用実行環境データ３３、及びトレーニングメニューデータ３４が記憶されているが、これに限られず、上記のデータやプログラムの一部又は全部を外部のサーバ等に記憶させておき、販売管理装置１がサーバ等から通信部６０を介して必要な情報を取得して動作するようにしてもよい。
【００３４】
＜販売管理装置の動作＞
次に、販売管理装置１の動作について説明する。
販売管理装置１が起動すると、表示部５０の表示画面に、販売管理動作を開始させるためのショートカット５１１、５１２が表示される。
【００３５】
図９は、ショートカット５１１、５１２が表示された表示画面５１の一部を示す図である。
ショートカット５１１を選択する入力操作がなされた場合には、通常モードで販売管理動作が開始される。また、ショートカット５１２を選択する入力操作がなされた場合には、トレーニングモードで販売管理動作が開始される。
詳しくは、メニュープログラム３１の起動時に、選択されたショートカット５１１又は５１２に応じて異なる引数が参照されるようになっており、この引数に応じて、通常モード及びトレーニングモードのいずれかで販売管理動作が開始される。上記引数の内容は、ＲＡＭ２０のモードフラグ２１に反映されて保持され、販売管理装置１が通常モード及びトレーニングモードのいずれで動作しているかの判別のために適宜参照される。
【００３６】
ＣＰＵ１０（表示制御部１１及び処理部１２）は、通常モードで販売管理動作を開始させた場合には、記憶部３０に記憶されている通常モード用実行環境データ３２を処理対象のデータとして用い、トレーニングモード用実行環境データ３３は用いない。
一方、ＣＰＵ１０は、トレーニングモードで販売管理動作を開始させた場合には、トレーニングモード用実行環境データ３３を処理対象のデータとして用い、通常モード用実行環境データ３２は用いない。これにより、トレーニングモードでの動作時に、実際の業務に係る通常モード用実行環境データ３２が書き換えられないようになっている。また、通常モード用実行環境データ３２をコピーして得られたトレーニングモード用実行環境データ３３を処理対象のデータとして用いることで、通常モードと同一の実行環境でトレーニングを行うことができるようになっている。
以下では、通常モード及びトレーニングモードでの販売管理装置１の動作についてそれぞれ説明する。
【００３７】
＜通常モードでの動作＞
図９のショートカット５１１を選択する入力操作がなされると、ＣＰＵ１０（表示制御部１１）は、通常モードで販売管理動作を開始させ、表示部５０に通常モード用の業務メニュー画面５２ａを表示させる。
【００３８】
図１０は、通常モード用の業務メニュー画面５２ａを示す図である。
図１０に示すように、業務メニュー画面５２ａでは、販売管理装置１でサポートされている複数の業務に係る業務処理を開始させるためのメニューボタン５２１が表示されている。このメニューボタン５２１の内容は、図７の業務メニューデータ３２２の「階層１」の業務メニューに対応する。すなわち、処理部１２は、業務メニューデータ３２２を参照して表示させるメニューボタン５２１を決定する。
【００３９】
いずれかのメニューボタン５２１を選択する入力操作がなされると、ＣＰＵ１０（処理部１２）は、当該メニューボタン５２１に対応する業務プログラム３２４を実行する。これにより、業務処理が開始される。詳しくは、メニューボタン５２１に対応する業務処理の画面に遷移し、業務処理の内容に応じて、業務メニューデータ３２２における「階層２」のメニューボタン（不図示）が表示される。この「階層２」のメニューボタンをさらに選択することで、業務メニューデータ３２２における「業務名」に対応する業務処理（見積書や売上伝票といった帳票の作成等）が開始される。ただし、「階層２」のメニューボタンは必須ではなく、「階層１」のメニューボタンを選択した段階で具体的な業務に係る業務処理が開始されてもよい。
【００４０】
図１１は、売上管理業務のうち売上伝票入力の処理を行っているときの売上伝票入力画面５３を示す図である。
売上伝票入力画面５３では、印刷される売上伝票（納品書）と同様の配置でデータの入力欄（商品名、数量、単位、単価、金額等）が設けられており、各入力欄を選択して直接データを入力することができるようになっている。納品書作成画面４３で納品書の作成が終了した後、印刷ボタン５３１を選択する入力操作を行うことで、印刷装置により納品書を印刷することができる。
【００４１】
通常モードで実行される業務プログラム３２４では、上述したように、処理対象のデータとして、通常モード用実行環境データ３２のみを用いる。したがって、通常モードでは、通常モード用実行環境データ３２のみが更新される。詳しくは、業務データ３２１の得意先データ３２１ａ、商品データ３２１ｂ、仕入先データ３２１ｃ、取引データ３２１ｄに対して、ユーザの入力操作に応じた内容の追加、更新等がなされ、業務ログデータ３２３に業務ログが記録される。
【００４２】
＜トレーニングモードでの動作＞
次に、トレーニングモードでの動作について説明する。
図９のショートカット５１２を選択する入力操作がなされると、トレーニングモードで販売管理動作が開始される。トレーニングモードの販売管理動作では、まず、通常モード用実行環境データ３２がコピーされてトレーニングモード用実行環境データ３３が生成され、当該トレーニングモード用実行環境データ３３に基づいてトレーニング用チェックシートＳが印刷（出力）され、その後、トレーニングモード用の業務メニュー画面５２ｂが表示されて、トレーニングのための業務処理が実行される。
【００４３】
図１２は、トレーニングモードでの販売管理処理のＣＰＵ１０による制御手順を示すフローチャートである。
トレーニングモードでの販売管理処理が開始されると、ＣＰＵ１０（複製部１３）は、通常モード用実行環境データ３２をコピーしてトレーニングモード用実行環境データ３３を生成し、記憶部３０に記憶させる（ステップＳ１０１）。以降の各処理では、ＣＰＵ１０は、トレーニングモード用実行環境データ３３を処理対象のデータとして用いる。
【００４４】
トレーニングモード用実行環境データ３３が生成されると、ＣＰＵ１０（トレーニングメニュー出力部１４）は、トレーニングメニュー生成処理を実行する（ステップＳ１０２）。
【００４５】
図１３は、トレーニングメニュー生成処理のＣＰＵ１０による制御手順を示すフローチャートである。
トレーニングメニュー生成処理が呼び出されると、ＣＰＵ１０は、業務ログデータ３３３を参照して、直近の所定期間、ここでは開始日が前月である業務ログを抽出する（ステップＳ２０１）。なお、業務ログを抽出する期間はこれに限られず、例えばトレーニングメニュー生成処理を実行している日から所定日数だけ遡った日までの期間などとしてもよい。
【００４６】
ＣＰＵ１０は、抽出した業務ログから、各業務名に係る業務処理の実行回数を取得し（ステップＳ２０２）、実行回数順にソートする（ステップＳ２０３）。
図１４は、業務ログの抽出結果を実行回数順でソートした結果の例を示す図である。
ここでは、売上伝票Ａに係る業務処理が３回、仕入伝票Ａに係る業務処理が２回、売上伝票Ｂ、売上伝票Ｃ及び仕入伝票Ｂに係る業務処理がそれぞれ１回であり、この順にソートされている。
【００４７】
ＣＰＵ１０は、トレーニングモード用実行環境データ３３のデータを参照して、業務名ごとに、業務メニュー、得意先、仕入先及び商品名の情報を付加し、トレーニング用チェックシートＳの形式のトレーニングメニューデータ３４を生成する（ステップＳ２０４）。
【００４８】
図１５は、生成されたトレーニングメニューデータ３４の例を示す図である。
トレーニングメニューデータ３４は、「業務名」、「業務メニュー」、「得意先名」、「仕入先名」及び「商品名」の項目が業務名ごとに記憶されたテーブルデータである。
「業務名」は、ステップＳ２０３におけるソート結果の順序で配列された、業務ログの業務名である。
「業務メニュー」は、業務メニューデータ３３２において「業務名」に対応する業務メニューを探索して抽出したものである。
「得意先名」は、業務ログデータ３３３において「業務名」に対応する得意先キーコードを、得意先データ３３１ａの得意先名に変換したものである。
「仕入先名」は、業務ログデータ３３３において「業務名」に対応する仕入先キーコードを、仕入先データ３３１ｃの仕入れ先名に変換したものである。
「商品名」は、業務ログデータ３３３において「業務名」に対応する伝票番号を取得し、取引データ３３１ｄにおいて当該伝票番号に対応する商品コードを商品データ３３１ｂの商品名に変換したものである。
【００４９】
ステップＳ２０４の処理が終了すると、ＣＰＵ１０は、処理を図１２の販売管理処理のステップＳ１０３に移行させる。ステップＳ１０３では、ＣＰＵ１０（表示制御部１１）は、ＣＰＵ１０は、トレーニング用チェックシートＳの印刷開始ダイアログ５４を表示部５０に表示させる。
【００５０】
図１６は、トレーニング用チェックシートＳの印刷開始ダイアログ５４を示す図である。この印刷開始ダイアログ５４を表示させることで、トレーニング用チェックシートＳが印刷されることをユーザに認識させることができる。印刷開始ダイアログ５４のＯＫボタン５４１を選択する入力操作がなされると、ＣＰＵ１０は、トレーニング用チェックシートＳを印刷装置により印刷させる（ステップＳ１０４）。
【００５１】
図１７は、トレーニング用チェックシートＳの内容例を示す図である。
このトレーニング用チェックシートＳは、トレーニングメニュー生成処理で生成されたトレーニングメニューデータ３４（図１５）の内容が反映されたものである。また、トレーニング用チェックシートＳでは、右端にユーザチェック欄が設けられている。
【００５２】
トレーニング用チェックシートＳの各行は、ユーザが実行すべきトレーニング項目を示している。トレーニング用チェックシートＳの各行を参照することで、ユーザは、どの業務メニューを選択してどの業務名に係る業務処理のトレーニングを行うか、また当該業務処理において使用する得意先、仕入先及び商品の名称を把握することができる。
なお、トレーニング用チェックシートＳには、さらに、トレーニング項目の業務処理に対応する帳票番号（前月の業務処理において実際に作成された帳票の番号）を記載してもよい。また、当該帳票番号の帳票がトレーニング用チェックシートＳとともに印刷されるようにしてもよい。これにより、ユーザは、トレーニングでの帳票の作成例を参照することができる。
【００５３】
トレーニング用チェックシートＳにおける複数のトレーニング項目は、ユーザが実行すべき順序で上から配列されている。すなわち、トレーニング用チェックシートＳは、トレーニング項目の実行手順を示すトレーニングメニューを含むものである。これらのトレーニング項目は、前月の業務ログにおいて実行回数が多かった順に業務処理を配列したものであるため、トレーニング用チェックシートＳに示された順序で各業務処理のトレーニングを行うことで、ユーザは、実際の業務で使用する頻度の高い業務処理から効率よく操作手順を習得することができる。また、トレーニングが完了したトレーニング項目のチェック欄にチェックを行うことで、ユーザは、トレーニングの進捗状況を把握することができる。
【００５４】
トレーニング用チェックシートＳが印刷されると、ＣＰＵ１０（表示制御部１１）は、表示部５０にトレーニングモード用の業務メニュー画面５２ｂを表示させる（図１２のステップＳ１０５）。
【００５５】
図１８は、トレーニングモード用の業務メニュー画面５２ｂを示す図である。
図１８の業務メニュー画面５２ｂにおけるメニューボタン５２１の内容は、トレーニングモード用実行環境データ３３の業務メニューデータ３３２（図７）の「階層１」の業務メニューに対応する。すなわち、ＣＰＵ１０は、業務メニューデータ３３２を参照して表示させるメニューボタン５２１を決定する。業務メニューデータ３３２は、通常モード用実行環境データ３２に含まれる業務メニューデータ３２２をコピーしたものであるので、トレーニングモードの業務メニュー画面５２ｂに含まれるメニューボタン５２１は、通常モードの業務メニュー画面５２ａ（図１０）に含まれるメニューボタン５２１と同一となる。
【００５６】
また、トレーニングモードの業務メニュー画面５２では、販売管理装置１がトレーニングモードで動作していることを示すトレーニングモード標識５２２（標識）が、メニューボタン５２１とともに表示される。すなわち、ＣＰＵ１０は、モードフラグ２１を参照してトレーニングモードであるか否かを判定し、トレーニングモードであると判定された場合に業務メニュー画面５２においてトレーニングモード標識５２２を表示させる。これにより、ユーザに動作モードを認識させることができる。
【００５７】
業務メニュー画面５２ｂが表示されると、ＣＰＵ１０（処理部１２）は、ユーザの指示（メニューボタン５２１を選択する入力操作）に応じて、業務処理をトレーニングモードで実行する（図１２のステップＳ１０６）。ここでは、ＣＰＵ１０は、トレーニングモード用実行環境データ３３に含まれる業務プログラム３３４に基づいて業務処理を実行する。
【００５８】
図１９は、売上管理業務のうち売上伝票入力の処理をトレーニングモードで行っているときの売上伝票入力画面５３を示す図である。
売上伝票入力画面５３では、業務メニュー画面５２と同様に、業務処理がトレーニングモードで実行されていることを示すトレーニングモード標識５３２（標識）が表示される。すなわち、ＣＰＵ１０は、モードフラグ２１を参照してトレーニングモードであるか否かを判定し、トレーニングモードであると判定された場合に業務プログラムの実行時にトレーニングモード標識５３２を表示させる。
また、トレーニングモードの業務処理において帳票を印刷する場合には、印刷される帳票にもトレーニングモード標識５３２と同様の標識が印刷される。これにより、トレーニングモードで印刷された帳票が誤って実際の業務で使用されることのないようにすることができる。
【００５９】
トレーニングモードにおける業務処理では、トレーニングモード用実行環境データ３３内のファイルのみが更新されるため、実際の業務で用いられるデータ（通常モード用実行環境データ３２）を保護するためにファイル更新を制限する必要がない。よって、トレーニングモードにおける業務処理の内容は、トレーニングモード標識５３２が表示される点を除いて通常モードにおける業務処理の内容と同一とすることができる。すなわち、通常モードで使用可能な全ての機能を、トレーニングモードにおいても用いることができる。これにより、実際の業務に近い環境でトレーニングを行うことができるようになっている。
【００６０】
ＣＰＵ１０は、トレーニングモードの終了を指示する入力操作がなされたか否かを判定し（ステップＳ１０７）、トレーニングモードの終了が指示されていないと判定された場合には（ステップＳ１０７で“Ｎｏ”）、処理をステップＳ１０６に戻す。トレーニングモードの終了が指示されたと判定された場合には（ステップＳ１０７で“Ｙｅｓ”）、ＣＰＵ１０は、トレーニングモードの販売管理処理を終了させる。
【００６１】
＜変形例１＞
次に、上記実施形態に係る変形例１について説明する。本変形例は、業務メニューデータ及び業務プログラムが、通常モード及びトレーニングモードで共用される点で上記実施形態と異なる。
【００６２】
図２０は、変形例１に係る販売管理装置１の機能的構成を示すブロック図である。
本変形例では、記憶部３０において、業務メニューデータ３５及び業務プログラム３６が、通常モード用実行環境データ３２及びトレーニングモード用実行環境データ３３から独立して記憶されている。すなわち、業務メニューデータ３５及び業務プログラム３６は、通常モード用実行環境データ３２には含まれておらず、トレーニングモードの開始時にコピーされないため、トレーニングモード用実行環境データ３３にも含まれていない。
【００６３】
本変形例では、業務メニュー画面５２の表示時には、業務メニューデータ３５が参照されてメニューボタン５２１が表示される。その際、モードフラグ２１が参照されて、トレーニングモードである場合には、併せてトレーニングモード標識５２２が表示される。
【００６４】
また、業務プログラム３６の実行時にモードフラグ２１が参照されて、業務処理が通常モード及びトレーニングモードのいずれで実行されるかが判定される。この判定結果に基づいて、通常モード用実行環境データ３２及びトレーニングモード用実行環境データ３３の一方が、業務処理の処理対象のデータとして選択されて用いられる。
【００６５】
なお、業務メニューデータ３５及び業務プログラム３６の一方を、通常モード用実行環境データ３２及びトレーニングモード用実行環境データ３３に含めてもよい。すなわち、トレーニングモードの開始時にコピーされるようにしてもよい。
【００６６】
＜変形例２＞
次に、上記実施形態に係る変形例２について説明する。本変形例は、販売管理装置１の機能の一部が管理サーバ２に実装され、これにより、販売管理装置１及び管理サーバ２を備える販売管理システム１００（情報処理システム）が構成されている点で上記実施形態と異なる。
【００６７】
図２１は、販売管理システム１００の概略構成図である。
販売管理システム１００は、複数の販売管理装置１と、管理サーバ２とを備えている。また、販売管理装置１及び管理サーバ２は、通信ネットワーク３を介して情報通信可能に接続されている。
【００６８】
管理サーバ２は、複数の販売管理装置１における処理の状況を取得して必要な管理を行う。本変形例では、管理サーバ２に設けられたＣＰＵが、上記実施形態の表示制御部１１、処理部１２、複製部１３及びトレーニングメニュー出力部１４の少なくとも一部として機能する。そして、管理サーバ２のＣＰＵによる処理結果が販売管理装置１に送信されて販売管理装置１の表示部５０に表示される。
また、管理サーバ２には、販売管理装置１にインストールされている業務プログラムの更新管理を行う機能や、販売管理装置１の業務データを分析する機能などが設けられていてもよい。
【００６９】
以上のように、上記実施形態の情報処理装置としての販売管理装置１は、ＣＰＵ１０を備え、当該ＣＰＵ１０は、所定の業務に係る業務処理を、実際に業務を遂行するための通常モード、及びユーザによる業務処理に係る入力操作の習得のためのトレーニングモードのうち、ユーザにより指定された一方で実行し（処理部１２、処理手段）、トレーニングモードで業務処理が実行される場合に、業務データ３２１、業務メニューデータ３２２、及び業務ログデータ３２３を複製して業務データ３３１、業務メニューデータ３３２、及び業務ログデータ３３３を生成し（複製部１３、複製手段）、トレーニングモードでは、業務データ３３１、業務メニューデータ３３２、及び業務ログデータ３３３を処理対象のデータとして用いて業務処理を実行する（処理部１２、処理手段）。
これによれば、実際に業務を遂行する場合の業務処理の実行環境と近い環境でトレーニングを行うことができるため、ユーザは、必要な入力操作を効率よく習得することができる。また、トレーニングモードでは、複製されたトレーニングモード用実行環境データ３３が処理対象のデータとされるため、トレーニングにおいて実際の業務に係るデータ（通常モード用実行環境データ３２）が書き換えられる問題が生じないようにすることができる。
【００７０】
また、ＣＰＵ１０は、トレーニングモードで業務処理が実行される場合に、業務処理を実行するための業務プログラム３２４を複製して業務プログラム３３４を生成し（複製部１３、複製手段）、トレーニングモードでは、業務プログラム３３４に基づいて業務処理を実行する（処理部１２、処理手段）。これによれば、実際の業務で用いる業務プログラム３２４のバージョンが更新された場合においても、更新後の最新のプログラムに基づいてトレーニングを行うことができる。
【００７１】
また、ＣＰＵ１０は、異なる複数の業務処理が特定された業務メニューデータ３２２、３３２に基づいて、上記複数の業務処理の中から実行する業務処理をユーザに選択させるための業務メニュー画面５２を表示させ（表示制御部１１、表示制御手段）、トレーニングモードで業務処理が実行される場合に、通常モードで用いられる業務メニューデータ３２２を複製して業務メニューデータ３３２を生成し（複製部１３、複製手段）、トレーニングモードで業務処理が実行される場合には、業務メニューデータ３３２に基づいて業務メニュー画面５２ｂを表示させる（表示制御部１１、表示制御手段）。これによれば、実際の業務で用いる業務メニュー画面５２ａと同一のメニューを選択可能な業務メニュー画面５２ｂでトレーニングを行うことができる。よって、実際の業務で用いる任意の業務処理についてのトレーニングを行うことができる。
【００７２】
また、通常モードの業務処理における処理対象のデータとしての通常モード用実行環境データ３２には、実際の業務の遂行のために業務処理において参照される情報を含むデータとしての得意先データ３２１ａ、商品データ３２１ｂ及び仕入先データ３２１ｃ、並びに実際の業務の遂行結果に係る情報を含むデータとしての取引データ３２１ｄ及び業務ログデータ３２３が含まれる。これらの各データは、通常モード用実行環境データ３２を複製して生成されるトレーニングモード用実行環境データ３３にも含まれることとなるため、トレーニングモードの業務処理でこのトレーニングモード用実行環境データ３３を用いることで、実際の業務に近くリアリティのあるトレーニングを行うことができる。よって、より効果的にトレーニングを行うことができる。
【００７３】
また、上記の業務は、所定の取引先との取引のための作業を含み、通常モードの業務処理における処理対象のデータとしての通常モード用実行環境データ３２には、実際の業務における取引先に係る情報を含むデータとしての得意先データ３２１ａ及び仕入先データ３２１ｃ、実際の業務における取引の対象に係る情報を含むデータとしての商品データ３２１ｂ、並びに実際の業務における取引の結果に係る情報を含むデータとしての取引データ３２１ｄ及び業務ログデータ３２３が含まれる。これらの各データは、通常モード用実行環境データ３２を複製して生成されるトレーニングモード用実行環境データ３３にも含まれることとなるため、トレーニングモードの業務処理でこのトレーニングモード用実行環境データ３３を用いることで、実際の業務に近くリアリティのあるトレーニングを行うことができる。よって、より効果的にトレーニングを行うことができる。
【００７４】
また、ＣＰＵ１０は、トレーニングモードで業務処理が実行されるごとに、新たにトレーニングモード用実行環境データ３３を生成し（複製部１３、複製手段）、トレーニングモードでは、最新のトレーニングモード用実行環境データ３３を処理対象のデータとして用いて業務処理を実行する（処理部１２、処理手段）。これによれば、最新の業務の遂行状況を反映した内容でトレーニングを行うことができる。
【００７５】
また、ＣＰＵ１０は、トレーニングモードで業務処理が実行される場合に、通常モードの業務処理の履歴に係る業務ログデータ３３３に基づいて、複数のトレーニング項目の実行手順を示すトレーニングメニューを生成してトレーニング用チェックシートＳとして出力する（トレーニングメニュー出力部１４、トレーニングメニュー出力手段）。これによれば、トレーニングの手順をユーザに分かりやすく示すことができる。また、業務ログデータ３３３に基づいて生成されたトレーニングメニューを用いることで、実際の業務で使用する業務処理についてのトレーニングを優先して行うことができる。例えば、業務で実際に使用する帳票の入力操作を優先して習得することができる。これにより、従来の画一的なチュートリアルモードによるトレーニングと比較して、実際の業務に必要な入力操作を効率良く習得することができる。
【００７６】
また、ＣＰＵ１０は、複製されたトレーニングモード用実行環境データ３３に含まれる業務ログデータ３３３に基づいてトレーニングメニューを生成してトレーニング用チェックシートＳとして出力する（トレーニングメニュー出力部１４、トレーニングメニュー出力手段）。これによれば、通常モードでの業務処理の最新の履歴に基づいてトレーニングメニューを生成することができる。
【００７７】
また、複数のトレーニング項目の各々は、異なる複数の業務処理のいずれかに対応し、ＣＰＵ１０は、業務ログデータ３３３により示される、複数の業務処理の各々の実行回数に基づいて複数のトレーニング項目を配列する（トレーニングメニュー出力部１４、トレーニングメニュー出力手段）。これによれば、実際の業務で実行する頻度の高い業務処理について優先してトレーニングを行うことができる。よって、業務に必要な入力操作をより効率良く習得することができる。
【００７８】
また、ＣＰＵ１０は、複数の業務処理のうち実行回数の多い業務処理に対応するトレーニング項目ほど早期に実行されるように実行手順を定める（トレーニングメニュー出力部１４、トレーニングメニュー出力手段）。これによれば、実際の業務で実行する頻度の高い順に、業務処理についてのトレーニングを行うことができる。よって、業務に必要な入力操作をより効率良く習得することができる。
【００７９】
また、ＣＰＵ１０は、業務ログデータ３３３のうち直近の所定期間の履歴に係る部分に基づいてトレーニングメニューをトレーニング用チェックシートＳとして生成する（トレーニングメニュー出力部１４、トレーニングメニュー出力手段）。これによれば、直近の業務で実行されている業務処理についてのトレーニングを優先して行うことができる。よって、業務に必要な入力操作をより効率良く習得することができる。
【００８０】
また、ＣＰＵ１０は、トレーニングモードで業務処理を実行しているときに、業務処理がトレーニングモードで実行されていることを示すトレーニングモード標識５３２を、業務処理の処理内容とともに表示部５０に表示させる（処理部１２、処理手段）。これによれば、トレーニングモードであることをユーザに分かりやすく示すことができる。
【００８１】
また、変形例２に係る情報処理システムとしての販売管理システム１００は、ＣＰＵを備え、当該ＣＰＵは、所定の業務に係る業務処理を、実際に業務を遂行するための通常モード、及びユーザによる業務処理に係る入力操作の習得のためのトレーニングモードのうち、ユーザにより指定された一方で実行し（処理手段）、トレーニングモードで業務処理が実行される場合に、業務データ３２１、業務メニューデータ３２２、及び業務ログデータ３２３を複製して業務データ３３１、業務メニューデータ３３２、及び業務ログデータ３３３を生成し（複製手段）、トレーニングモードでは、業務データ３３１、業務メニューデータ３３２、及び業務ログデータ３３３を処理対象のデータとして用いて業務処理を実行する（処理手段）。
これによれば、実際に業務を遂行する場合の業務処理の実行環境と近い環境でトレーニングを行うことができるため、ユーザは、必要な入力操作を効率よく習得することができる。また、トレーニングにおいて実際の業務に係るデータが書き換えられる問題が生じないようにすることができる。
【００８２】
また、上記実施形態に係るプログラム（メニュープログラム３１、業務プログラム３２４、３３４）は、販売管理装置１に設けられたコンピュータとしてのＣＰＵ１０を、所定の業務に係る業務処理を、通常モード及びトレーニングモードのうちユーザにより指定された一方で実行する処理手段、処理手段によりトレーニングモードで業務処理が実行される場合に、業務データ３２１、業務メニューデータ３２２、及び業務ログデータ３２３を複製して業務データ３３１、業務メニューデータ３３２、及び業務ログデータ３３３を生成する複製手段、として機能させ、処理手段は、トレーニングモードでは、業務データ３３１、業務メニューデータ３３２、及び業務ログデータ３３３を処理対象のデータとして用いて業務処理を実行する。
このようなプログラムで販売管理装置１を動作させることで、実際に業務を遂行する場合の業務処理の実行環境と近い環境でトレーニングを行うことができるため、ユーザは、必要な入力操作を効率よく習得することができる。また、トレーニングにおいて実際の業務に係るデータが書き換えられる問題が生じないようにすることができる。
【００８３】
以上の説明では、本発明に係るプログラムのコンピュータ読み取り可能な媒体として記憶部３０のＨＤＤ、ＳＳＤを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００８４】
なお、上記実施形態における記述は、本発明に係る情報処理装置、情報処理システム及びプログラムの一例であり、これに限定されるものではない。
例えば、通常モード用実行環境データ３２及びトレーニングモード用実行環境データ３３の内容は、上記実施形態のものに限られず、業務処理の処理対象となり得る任意のデータを含むものとすることができる。
【００８５】
また、上記実施形態では、通常モード用実行環境データ３２をコピーしてトレーニングモード用実行環境データ３３を生成する例を用いて説明したが、単純なコピーに限定する趣旨ではない。例えば、通常モード用実行環境データ３２の少なくとも一部がリレーショナルデータベースの形式で設けられている場合に、データベースのエクスポート及びインポートを伴う処理を行ってトレーニングモード用実行環境データ３３を生成してもよい。すなわち、処理対象データの「複製」には、ファイルの単純なコピーのほか、データベースのエクスポート及びインポートの処理なども含まれる。
【００８６】
また、トレーニング用チェックシートＳのトレーニング項目は、伝票入力を伴うものに限られず、例えばマスタ登録管理業務といったデータの管理に係る業務等も、業務ログから抽出される実行回数によってはトレーニング項目となり得る。
【００８７】
また、トレーニング用チェックシートＳにおけるトレーニング項目の順序は、業務ログにおける実行回数に応じたものに限られず、例えば予め各業務処理に対応付けられている難易度に従った順序などとしてもよい。
【００８８】
また、トレーニング用チェックシートＳを印刷する態様に代えて、トレーニング用チェックシートＳを表示部５０に表示（出力）させることでユーザに提示してもよい。
【００８９】
また、通常モード用実行環境データ３２の業務ログデータ３２３に基づいてトレーニングメニューデータ３４を生成し、トレーニング用チェックシートＳを印刷してもよい。
【００９０】
また、上記実施形態では、所定の取引先との取引のための作業を含む業務を例に挙げて説明したが、これ以外の任意の業務について本発明を適用してもよい。
【００９１】
また、上記実施形態における情報処理装置としての販売管理装置１の各構成要素の細部構成及び細部動作に関しては、本発明の趣旨を逸脱することのない範囲で適宜変更可能であることは勿論である。
【００９２】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定の業務に係る業務処理を、実際に前記業務を遂行するための通常モード、及びユーザによる前記業務処理に係る入力操作の習得のためのトレーニングモードのうち、ユーザにより指定された一方で実行する処理手段と、
前記処理手段により前記トレーニングモードで前記業務処理が実行される場合に、前記通常モードの前記業務処理における処理対象のデータを複製して複製データを生成する複製手段と、
を備え、
前記処理手段は、前記トレーニングモードでは、前記複製データを処理対象のデータとして用いて前記業務処理を実行することを特徴とする情報処理装置。
＜請求項２＞
前記複製手段は、前記トレーニングモードで前記業務処理が実行される場合に、前記通常モードの前記業務処理を実行するためのプログラムを複製して複製プログラムを生成し、
前記処理手段は、前記トレーニングモードでは、前記複製プログラムに基づいて前記業務処理を実行することを特徴とする請求項１に記載の情報処理装置。
＜請求項３＞
異なる複数の前記業務処理が特定された業務メニューデータに基づいて、前記複数の業務処理の中から実行する前記業務処理をユーザに選択させるための業務メニュー画面を表示させる表示制御手段を備え、
前記複製手段は、前記処理手段により前記トレーニングモードで前記業務処理が実行される場合に、前記通常モードで用いられる前記業務メニューデータを複製して複製業務メニューデータを生成し、
前記表示制御手段は、前記処理手段により前記トレーニングモードで前記業務処理が実行される場合には、前記複製業務メニューデータに基づいて前記業務メニュー画面を表示させることを特徴とする請求項１又は２に記載の情報処理装置。
＜請求項４＞
前記通常モードの前記業務処理における前記処理対象のデータには、実際の前記業務の遂行のために前記業務処理において参照される情報を含むデータ、及び実際の前記業務の遂行結果に係る情報を含むデータ、の少なくとも一方が含まれることを特徴とする請求項１〜３のいずれか一項に記載の情報処理装置。
＜請求項５＞
前記業務は、所定の取引先との取引のための作業を含み、
前記通常モードの前記業務処理における前記処理対象のデータには、実際の前記業務における前記取引先に係る情報を含むデータ、実際の前記業務における前記取引の対象に係る情報を含むデータ、及び実際の前記業務における前記取引の結果に係る情報を含むデータ、の少なくとも一部が含まれることを特徴とする請求項１〜４のいずれか一項に記載の情報処理装置。
＜請求項６＞
前記複製手段は、前記トレーニングモードで前記業務処理が実行されるごとに、新たに前記複製データを生成し、
前記処理手段は、前記トレーニングモードでは、最新の前記複製データを処理対象のデータとして用いて前記業務処理を実行することを特徴とする請求項１〜５のいずれか一項に記載の情報処理装置。
＜請求項７＞
前記処理手段により前記トレーニングモードで前記業務処理が実行される場合に、前記通常モードの前記業務処理の履歴に係る履歴データに基づいて、複数のトレーニング項目の実行手順を示すトレーニングメニューを生成して出力するトレーニングメニュー出力手段を備えることを特徴とする請求項１〜６のいずれか一項に記載の情報処理装置。
＜請求項８＞
前記トレーニングメニュー出力手段は、前記複製データに含まれる前記履歴データに基づいて前記トレーニングメニューを生成して出力することを特徴とする請求項７に記載の情報処理装置。
＜請求項９＞
前記複数のトレーニング項目の各々は、異なる複数の前記業務処理のいずれかに対応し、
前記トレーニングメニュー出力手段は、前記履歴データにより示される、前記複数の業務処理の各々の実行回数に基づいて前記複数のトレーニング項目を配列することを特徴とする請求項７又は８に記載の情報処理装置。
＜請求項１０＞
前記トレーニングメニュー出力手段は、前記複数の業務処理のうち前記実行回数の多い業務処理に対応する前記トレーニング項目ほど早期に実行されるように前記実行手順を定めることを特徴とする請求項９に記載の情報処理装置。
＜請求項１１＞
前記トレーニングメニュー出力手段は、前記履歴データのうち直近の所定期間の前記履歴に係る部分に基づいて前記トレーニングメニューを生成することを特徴とする請求項７〜１０のいずれか一項に記載の情報処理装置。
＜請求項１２＞
前記処理手段は、前記トレーニングモードで前記業務処理を実行しているときに、前記業務処理が前記トレーニングモードで実行されていることを示す標識を、前記業務処理の処理内容とともに表示部に表示させることを特徴とする請求項１〜１１のいずれか一項に記載の情報処理装置。
＜請求項１３＞
所定の業務に係る業務処理を、実際に前記業務を遂行するための通常モード、及びユーザによる前記業務処理に係る入力操作の習得のためのトレーニングモードのうち、ユーザにより指定された一方で実行する処理手段と、
前記処理手段により前記トレーニングモードで前記業務処理が実行される場合に、前記通常モードの前記業務処理における処理対象のデータを複製して複製データを生成する複製手段と、
を備え、
前記処理手段は、前記トレーニングモードでは、前記複製データを処理対象のデータとして用いて前記業務処理を実行することを特徴とする情報処理システム。
＜請求項１４＞
情報処理装置に設けられたコンピュータを、
所定の業務に係る業務処理を、実際に前記業務を遂行するための通常モード、及びユーザによる前記業務処理に係る入力操作の習得のためのトレーニングモードのうち、ユーザにより指定された一方で実行する処理手段、
前記処理手段により前記トレーニングモードで前記業務処理が実行される場合に、前記通常モードの前記業務処理における処理対象のデータを複製して複製データを生成する複製手段、
として機能させ、
前記処理手段は、前記トレーニングモードでは、前記複製データを処理対象のデータとして用いて前記業務処理を実行することを特徴とするプログラム。
【符号の説明】
【００９３】
１  販売管理装置（情報処理装置）
２  管理サーバ
３  通信ネットワーク
１０  ＣＰＵ（コンピュータ）
１１  表示制御部（表示制御手段）
１２  処理部（処理手段）
１３  複製部（複製手段）
１４  トレーニングメニュー出力部（トレーニングメニュー出力手段）
２０  ＲＡＭ
３０  記憶部
３１  メニュープログラム
３２  通常モード用実行環境データ
３２１  業務データ
３２２  業務メニューデータ
３２３  業務ログデータ
３２４  業務プログラム
３３  トレーニングモード用実行環境データ
３３１  業務データ（複製データ）
３３２  業務メニューデータ（複製データ、複製業務メニューデータ）
３３３  業務ログデータ（複製データ、履歴データ）
３３４  業務プログラム（複製プログラム）
３４  トレーニングメニューデータ
４０  操作部
５０  表示部
５２、５２ａ、５２ｂ  業務メニュー画面
６０  通信部
１００  販売管理システム
５２２、５２３  トレーニングモード標識
５３２  トレーニングモード標識
Ｓ  トレーニング用チェックシート
【図１】
2020201858.tif 000003
【図２】
2020201858.tif 000004
【図３】
2020201858.tif 000005
【図４】
2020201858.tif 000006
【図５】
2020201858.tif 000007
【図６】
2020201858.tif 000008
【図７】
2020201858.tif 000009
【図８】
2020201858.tif 000010
【図９】
2020201858.tif 000011
【図１０】
2020201858.tif 000012
【図１１】
2020201858.tif 000013
【図１２】
2020201858.tif 000014
【図１３】
2020201858.tif 000015
【図１４】
2020201858.tif 000016
【図１５】
2020201858.tif 000017
【図１６】
2020201858.tif 000018
【図１７】
2020201858.tif 000019
【図１８】
2020201858.tif 000020
【図１９】
2020201858.tif 000021
【図２０】
2020201858.tif 000022
【図２１】
2020201858.tif 000023